(57)【要約】【課題】着用者の体型に応じてコルセットの装着形態を容易に調整することができるコルセットを提供する。【解決手段】コルセット１は、下腹部支持部３と、胸部支持部５と、着用時に着用者の体の側部に沿って延びるように配置され、下腹部支持部３と、胸部支持部５とをそれぞれ連結する一対の垂直アーム構造７と、腹部支持部と一対の垂直アーム構造との間に設けられており、下腹部支持部３と一対の垂直アーム構造７とを連結する下方連結構造と、胸部支持部５と一対の垂直アーム構造７との間に設けられており、胸部支持部５と一対の垂直アーム構造７とを連結する上方連結構造と、着用者の体の後面を通ってコルセットを着用者の体に固定するためのベルト９とを備える。【選択図】図１
2019047966.tif 000002
【特許請求の範囲】
【請求項１】
コルセットであって、
着用者の下腹部前面に接触する下腹部支持部と、
着用者の胸部前面に接触する胸部支持部と、
着用時に着用者の体の側部に沿って延びるように配置され、前記下腹部支持部と、前記胸部支持部とをそれぞれ連結する一対の垂直アーム構造と、
前記下腹部支持部と前記一対の垂直アーム構造との間に設けられており、前記下腹部支持部と前記一対の垂直アーム構造とを連結する下方連結構造と、
前記胸部支持部と前記一対の垂直アーム構造との間に設けられており、前記胸部支持部と前記一対の垂直アーム構造とを連結する上方連結構造と、
前記着用者の体の後面を通って当該コルセットを前記着用者の体に固定するためのベルトと、を備えるコルセット。
【請求項２】
前記一対の垂直アーム構造は、着用時に着用者の体の側部に沿って延びるように配置された細長いプレート部材をそれぞれ備え、
前記プレート部材は、当該プレート部材を前記下腹部支持部に対して回動可能に支持するためのボルトを挿入するための下方ボルト取付孔と、当該ボルト取付孔を中心に所定の角度間隔で設けられた複数の第１保持用取付孔とを備え、
前記下腹部支持部は、着用者の下腹部に接触する下腹部接触部材と、当該下腹部接触部から着用者の体の側方に向けて延びる一対の下腹部アームとを備え、
前記下腹部アームは、前記ボルトを挿入するための下腹部ボルト取付孔と、当該下腹部ボルト取付孔を中心に所定の角度間隔で設けられた複数の第２保持用取付孔とを備え、
前記プレート部材と、前記下腹部アームとを前記ボルトによって回動可能に支持し、互いに回動させたときに、少なくとも２つの前記第１保持用取付孔と、少なくとも２つの前記第２保持用取付孔とが等角度間隔毎に重複するように前記第１保持用取付孔と前記第２保持用取付孔とが位置決めされており、
さらに、重複した少なくとも２つの前記第１保持用取付孔と、少なくとも２つの前記第２保持用取付孔とに挿入するための少なくとも２つの保持用ボルトを備えている、請求項１に記載のコルセット。
【請求項３】
前記一対の垂直アーム構造は、着用時に着用者の体の側部に沿って延びるように配置された細長いプレート部材をそれぞれ備え、
前記プレート部材は、当該プレート部材を前記胸部支持部に対して回動可能に支持するためのボルトを挿入するための上方ボルト取付孔と、当該上方ボルト取付孔を中心に所定の角度間隔で設けられた複数の第３保持用取付孔とを備え、
前記胸部支持部は、着用者の胸部に接触する胸部接触部材と、当該胸部接触部から着用者の体の側方に向けて延びる一対の胸部アームとを備え、
前記胸部アームは、前記ボルトを挿入するための胸部ボルト取付孔と、当該胸部ボルト取付孔を中心に所定の角度間隔で設けられた複数の第４保持用取付孔とを備え、
前記プレート部材と、前記胸部アームとを前記ボルトによって回動可能に支持し、互いに回動させたときに、少なくとも２つの前記第３保持用取付孔と、少なくとも２つの前記第４保持用取付孔とが等角度間隔毎に重複するように前記第３保持用取付孔と前記第４保持用取付孔とが位置決めされており、
さらに重複した少なくとも２つの前記第３保持用取付孔と、少なくとも２つの前記第４保持用取付孔とに挿入するための少なくとも２つの保持用ボルトを備えている、請求項１に記載のコルセット。
【請求項４】
前記垂直アーム構造は、着用時に着用者の体の側部に沿って延びるように配置された２本の細長いプレート部材と、
前記２本の細長いプレート部材との間に配置され、前記２本のプレート部材をボルトを介して取り付けるための、垂直方向に一列に並んだ複数の高さ調整用取付孔を備える調整用プレート部材と、を備え、
前記２本の細長いプレート部材は、前記調整用プレート部材の異なる主面側に配置されて、それぞれ高さ調整用取付孔を介して前記調整用プレート部材に取り付けられる、請求項１に記載のコルセット。
【請求項５】
前記ベルトは、前記調整用プレートに固定される第１端と、当該第１端が固定された前記調整用プレートとは反対側において前記胸部支持部及び前記下腹部支持部に着脱自在に取り付け可能な、分岐した第２端とを備える、請求項１に記載のコルセット。
【請求項６】
前記胸部支持部は、着用者の胸部に接触する胸部接触部材と、当該胸部接触部から着用者の体の側方に向けて延びる一対の胸部アームと、
前記一対の胸部アームの着用者の体の中心側の端が固定される胸部固定プレートと、を備え、
前記胸部固定プレートは、前記胸部アームを取り付けるための水平方向に一例に並んだ複数の第１幅調整用取付孔と、前記胸部接触部を水平方向の軸周りに回動可能に支持する胸部ヒンジと、を備え、前記胸部ヒンジは、一列に並んだ複数の前記第１幅調整用取付孔から垂直方向にオフセットされて前記胸部固定プレートに固定されている、請求項１に記載のコルセット。
【請求項７】
前記下腹部支持部は、着用者の下腹部に接触する下腹部接触部材と、当該下腹部接触部から着用者の体の側方に向けて延びる一対の下腹部アームと、
前記一対の下腹部アームの着用者の体の中心側の端が固定される下腹部固定プレートと、を備え、
前記下腹部固定プレートは、前記下腹部アームを取り付けるための水平方向に一例に並んだ複数の第２幅調整用取付孔と、前記下腹部接触部を水平方向の軸周りに回動可能に支持する下腹部ヒンジと、を備え、前記下腹部ヒンジは、一列に並んだ複数の前記第２幅調整用取付孔から垂直方向にオフセットされて前記下腹部固定プレートに固定されている、請求項１に記載のコルセット。
【請求項８】
前記下腹部支持部は、着用者の下腹部に接触する下腹部接触部材と、当該下腹部接触部から着用者の体の側方に向けて延びる一対の下腹部アームとを備え、前記下腹部アームは、着用時に着用者の大腿部と干渉しないように湾曲している、請求項１に記載のコルセット。
【請求項９】
前記胸部支持部は、着用者の胸部に接触する胸部接触部材と、当該胸部接触部から着用者の体の側方に向けて延びる一対の胸部アームとを備え、前記胸部アームは、着用時に着用者の脇と干渉しないように湾曲している、請求項１に記載のコルセット。
【発明の詳細な説明】
【技術分野】
【０００１】
本発明は、コルセットに関し、特に圧迫骨折等をした患者が着用するいわゆるジュエット型のコルセットに関する。
【背景技術】
【０００２】
従来から、胸・腰椎の圧迫骨折等の患者が着用するためのいわゆるジュエット型のコルセットが知られている。ジュエット型のコルセットは、着用者の前屈動作を制限しながら、後屈動作を制限しないようにすることで幹部の圧迫を防ぐように構成されている。このようなコルセットとしては例えば特許文献１に記載されたものが知られている。
【先行技術文献】
【特許文献】
【０００３】
【特許文献１】特許第６０６０１７０号公報
【発明の概要】
【発明が解決しようとする課題】
【０００４】
上述した特許文献１に記載されたコルセットは、腰部取付部材と、胸部圧迫部材とを備えており、これらの部材をアームによって連結した構造を有している。そして特許文献１に記載されたコルセットでは、腰部取付構造とアームとの間の角度のみを調整できるように構成されているため、着用者の体型に応じた適切な装着状態を実現するのが困難である、という問題があった。
【０００５】
そこで本発明は上述した課題を解決するためになされたものであり、着用者の体型に応じてコルセットの装着形態を容易に調整することができるコルセットを提供することを目的とする。
【課題を解決するための手段】
【０００６】
上記課題を解決するために本発明は、コルセットであって、着用者の下腹部前面に接触する下腹部支持部と、着用者の胸部前面に接触する胸部支持部と、着用時に着用者の体の側部に沿って延びるように配置され、前記下腹部支持部と、前記胸部支持部とをそれぞれ連結する一対の垂直アーム構造と、  前記下腹部支持部と前記一対の垂直アーム構造との間に設けられており、前記下腹部支持部と前記一対の垂直アーム構造とを連結する下方連結構造と、  前記胸部支持部と前記一対の垂直アーム構造との間に設けられており、前記胸部支持部と前記一対の垂直アーム構造とを連結する上方連結構造と、前記着用者の体の後面を通って当該コルセットを前記着用者の体に固定するためのベルトと、を備える。
【０００７】
このように構成された本発明によれば、上方連結構造と下方連結構造とを設けることにより、胸部支持部と下腹部支持部との両方の垂直アーム構造に対する角度を調整することが可能となり、着用者の体型に応じてコルセットの装着形態を容易に調整することが可能となる。
【０００８】
また、本発明において好ましくは、前記一対の垂直アーム構造は、着用時に着用者の体の側部に沿って延びるように配置された細長いプレート部材をそれぞれ備え、前記プレート部材は、当該プレート部材を前記下腹部支持部に対して回動可能に支持するためのボルトを挿入するための下方ボルト取付孔と、当該ボルト取付孔を中心に所定の角度間隔で設けられた複数の第１保持用取付孔とを備え、前記下腹部支持部は、着用者の下腹部に接触する下腹部接触部材と、当該下腹部接触部から着用者の体の側方に向けて延びる一対の下腹部アームとを備え、前記下腹部アームは、前記ボルトを挿入するための下腹部ボルト取付孔と、当該下腹部ボルト取付孔を中心に所定の角度間隔で設けられた複数の第２保持用取付孔とを備え、前記プレート部材と、前記下腹部アームとを前記ボルトによって回動可能に支持し、互いに回動させたときに、少なくとも２つの前記第１保持用取付孔と、少なくとも２つの前記第２保持用取付孔とが等角度間隔毎に重複するように前記第１保持用取付孔と前記第２保持用取付孔とが位置決めされており、さらに、重複した少なくとも２つの前記第１保持用取付孔と、少なくとも２つの前記第２保持用取付孔とに挿入するための少なくとも２つの保持用ボルトを備えている。
【０００９】
このように構成された本発明によれば、等角度間隔毎に少なくとも２つの第１保持用取付孔と、少なくとも２つの第２保持用取付孔とを重複させ、そこに保持用ボルトを挿入することにより、下腹部支持部の下腹部アームと、垂直アーム構造のプレート部材との角度を固定することができる。これにより、下方ボルト取付孔及び下腹部ボルト取付孔の周囲の保持用取付孔の数を最小限にすることができ、下腹部アームとプレート部材を小型化することができる。
【００１０】
また、本発明において好ましくは、前記一対の垂直アーム構造は、着用時に着用者の体の側部に沿って延びるように配置された細長いプレート部材をそれぞれ備え、前記プレート部材は、当該プレート部材を前記胸部支持部に対して回動可能に支持するためのボルトを挿入するための上方ボルト取付孔と、当該上方ボルト取付孔を中心に所定の角度間隔で設けられた複数の第３保持用取付孔とを備え、前記胸部支持部は、着用者の胸部に接触する胸部接触部材と、当該胸部接触部から着用者の体の側方に向けて延びる一対の胸部アームとを備え、前記胸部アームは、前記ボルトを挿入するための胸部ボルト取付孔と、当該胸部ボルト取付孔を中心に所定の角度間隔で設けられた複数の第４保持用取付孔とを備え、前記プレート部材と、前記胸部アームとを前記ボルトによって回動可能に支持し、互いに回動させたときに、少なくとも２つの前記第３保持用取付孔と、少なくとも２つの前記第４保持用取付孔とが等角度間隔毎に重複するように前記第３保持用取付孔と前記第４保持用取付孔とが位置決めされており、さらに重複した少なくとも２つの前記第３保持用取付孔と、少なくとも２つの前記第４保持用取付孔とに挿入するための少なくとも２つの保持用ボルトを備えている。
【００１１】
このように構成された本発明によれば、等角度間隔毎に少なくとも２つの第３保持用取付孔と、少なくとも２つの第４保持用取付孔とを重複させ、そこに保持用ボルトを挿入することにより、胸部支持部の胸部アームと、垂直アーム構造のプレート部材との角度を固定することができる。これにより、上方ボルト取付孔及び胸部ボルト取付孔の周囲の保持用取付孔の数を最小限にすることができ、胸部アームとプレート部材を小型化することができる。
【００１２】
また、本発明において好ましくは、前記垂直アーム構造は、着用時に着用者の体の側部に沿って延びるように配置された２本の細長いプレート部材と、前記２本の細長いプレート部材との間に配置され、前記２本のプレート部材をボルトを介して取り付けるための、垂直方向に一列に並んだ複数の高さ調整用取付孔を備える調整用プレート部材と、を備え、
前記２本の細長いプレート部材は、前記調整用プレート部材の異なる主面側に配置されて、それぞれ高さ調整用取付孔を介して前記調整用プレート部材に取り付けられる。
【００１３】
このように構成された本発明によれば、２本の細長いプレート部材を、調整用プレート部材の異なる主面側に配置して調整用プレートに取り付けることにより、２本の細長いプレート同士が干渉することなく、一列に並んだ複数の高さ調整用取付孔を利用してプレート部材を調整用プレート部材に取り付けることができる。また、２本の細長いプレート部材を、調整用プレート部材の異なる主面側に配置して調整用プレートに取り付けることにより、２本のプレート部材の垂直方向の相対的な位置関係の選択肢を増やすことができ、これにより共通のコルセットを様々な体型の着用者に適応させることができる。
【００１４】
また、本発明において好ましくは、前記ベルトは、前記調整用プレートに固定される第１端と、当該第１端が固定された前記調整用プレートとは反対側において前記胸部支持部及び前記下腹部支持部に着脱自在に取り付け可能な、分岐した第２端とを備える。
【００１５】
このように構成された本発明によれば、ベルトを実質的にＹ字とし、その第１端を調整用プレートに固定し、分岐した第２端を胸部支持部及び下腹部支持部に着脱自在に取り付けることができる。これにより、着脱自在な第２端を着用者の体の前面まで延ばすことができ、着脱操作を容易に行えるようにすることができる。
【００１６】
また、本発明において好ましくは、前記胸部支持部は、着用者の胸部に接触する胸部接触部材と、当該胸部接触部から着用者の体の側方に向けて延びる一対の胸部アームと、前記一対の胸部アームの着用者の体の中心側の端が固定される胸部固定プレートと、を備え、前記胸部固定プレートは、前記胸部アームを取り付けるための水平方向に一例に並んだ複数の第１幅調整用取付孔と、前記胸部接触部を水平方向の軸周りに回動可能に支持する胸部ヒンジと、を備え、前記胸部ヒンジは、一列に並んだ複数の前記第１幅調整用取付孔から垂直方向にオフセットされて前記胸部固定プレートに固定されている。
【００１７】
このように構成された本発明によれば、胸部ヒンジと、一列に並んだ複数の第１幅調整用取付孔とを垂直方向にオフセットすることができる。これにより胸部ヒンジと第１幅調整用取付孔とが干渉するのを防止することができ、２つの胸部アームの相対的な位置関係の選択肢を増やすことができ、これにより共通のコルセットを様々な体型の着用者に適応させることができる。
【００１８】
また、本発明において好ましくは、前記下腹部支持部は、着用者の下腹部に接触する下腹部接触部材と、当該下腹部接触部から着用者の体の側方に向けて延びる一対の下腹部アームと、前記一対の下腹部アームの着用者の体の中心側の端が固定される下腹部固定プレートと、を備え、前記下腹部固定プレートは、前記下腹部アームを取り付けるための水平方向に一例に並んだ複数の第２幅調整用取付孔と、前記下腹部接触部を水平方向の軸周りに回動可能に支持する下腹部ヒンジと、を備え、前記下腹部ヒンジは、一列に並んだ複数の前記第２幅調整用取付孔から垂直方向にオフセットされて前記下腹部固定プレートに固定されている。
【００１９】
このように構成された本発明によれば、下腹部ヒンジと、一列に並んだ複数の第２幅調整用取付孔とを垂直方向にオフセットすることができる。これにより胸部ヒンジと第２幅調整用取付孔とが干渉するのを防止することができ、２つの胸部アームの相対的な位置関係の選択肢を増やすことができ、これにより共通のコルセットを様々な体型の着用者に適応させることができる。
【００２０】
また、本発明において好ましくは、前記下腹部支持部は、着用者の下腹部に接触する下腹部接触部材と、当該下腹部接触部から着用者の体の側方に向けて延びる一対の下腹部アームとを備え、前記下腹部アームは、着用時に着用者の大腿部と干渉しないように湾曲している。
【００２１】
また、本発明において好ましくは、前記胸部支持部は、着用者の胸部に接触する胸部接触部材と、当該胸部接触部から着用者の体の側方に向けて延びる一対の胸部アームとを備え、前記胸部アームは、着用時に着用者の脇と干渉しないように湾曲している。
【発明の効果】
【００２２】
以上のように本発明によれば、着用者の体型に応じてコルセットの装着形態を容易に調整することができ、これにより共通のコルセットを様々な体型の着用者に合わせて調整することができる。
【図面の簡単な説明】
【００２３】
【図１】本発明の実施形態によるコルセットの側面図である。
【図２】本発明の実施形態によるコルセットの正面図である。
【図３】本発明の実施形態によるコルセットの上方及び下方連結構造の拡大図である。
【図４】本発明の実施形態によるコルセットの垂直アーム構造の側面図である。
【図５】本発明の実施形態によるコルセットの垂直アーム構造の正面図である。
【図６】本発明の実施形態によるコルセットの胸部固定構造の正面図である。
【図７】本発明の実施形態によるコルセットの正面図であり、特にベルトの構造を説明するための図である。
【発明を実施するための形態】
【００２４】
以下、本発明の実施形態について詳述する。図１は、コルセットの側面図であり、図２は、コルセットの正面図である。なお以下の説明において、側面及び正面とはコルセットを着用している状態での人体の側面及び正面を指し、垂直及び上方又は下方、並びに水平及び左右方向とは着用者が起立している状態での各方向を指すものとする。
【００２５】
図１及び図２に示すように、コルセット１は、着用者の下腹部前面に接触する下腹部支持部３と、着用者の胸部前面に接触する胸部支持部５と、着用時に着用者の体の側部に沿って延びるように配置され、人体の両側面において下腹部支持部３と、胸部支持部５とをそれぞれ連結する一対の垂直アーム構造７と、着用者の体の後面を通って当該コルセットを着用者の体に固定するためのベルト９とを備えている。
【００２６】
下腹部支持部３は、着用時に着用者の正面から下腹部を支持するように構成されている。下腹部支持部３は、着用者の下腹部に接触する下腹部接触部材１１と、下腹部接触部材１１を支持する下腹部プレート１３と、下腹部プレート１３から着用者の両側方に向けて延びる一対の下腹部アーム１５とを備えている。
【００２７】
下腹部接触部材１１は、表面にスポンジ等の緩衝材が張り付けられたプレートであり、着用時に着用者の下腹部に接触する部材である。下腹部接触部材１１は、下腹部ヒンジ１７を介して下腹部プレート１３に回動支持されており、下腹部接触部１１の水平軸周りの角度が着用者の体型に応じて変化するようになっている。一対の下腹部アーム１５は、所定形状の細長いプレートによって構成されており、その一端が下腹部プレート１３に取り付けられ、他端が垂直アーム構造７に取り付けられている。下腹部アーム１５は、コルセットの着用時、特に着席時に着用者の大腿部が持ち上げられた際に、大腿部と干渉しないように上方に向けて湾曲している。
【００２８】
胸部支持部５は、着用時に着用者の正面から胸部を支持するように構成されている。胸部支持部５は、着用者の胸部に接触する胸部接触部材２１と、胸部接触部材２１を支持する胸部固定プレート２３と、胸部固定プレート２３から着用者の両側方に向けて延びる一対の胸部アーム２５とを備えている。
【００２９】
胸部接触部材２１は、表面にスポンジ等の緩衝材が張り付けられたプレートであり、着用時に着用者の胸部に接触する部材である。胸部接触部材２１は、胸部ヒンジ２７を介して胸部固定プレート２３に回動支持されており、胸部接触部材２１の水平軸周りの角度が着用者の体型に応じて変化するようになっている。一対の胸部アーム２５は、所定形状の細長いプレートによって構成されており、その一端が胸部固定プレート２３に取り付けられ、他端が垂直アーム構造７に取り付けられている。胸部アーム２５は、コルセットの着用時に、着用者の脇と干渉しないように下方に向けて湾曲している。
【００３０】
垂直アーム構造７は、着用時に着用者の体の側部に沿って延びるように配置された２本の細長いプレート部材３１，３３と、２本の細長いプレート部材３１，３３との間に配置され高さ調整用プレート部材３５とを備える。左右の垂直アーム構造７は、基本的には同一の構造を有しているが、一方の垂直アーム構造７（図の例では着用者の右側）には、ベルト９の一端を固定するためのベルト固定金具４１が取り付けられている。
【００３１】
垂直アーム構造７は、上方連結構造を介して胸部支持部５と連結されており、さらに下方連結構造を介して下腹部支持部３と連結されている。
【００３２】
図３は、垂直アーム構造７と、胸部支持部５との間に配置された上方連結構造の概略図である。なお、詳細な説明は省略するが、垂直アーム構造７と下腹部支持部３との間に配置された下方連結構造は上方連結構造と全く同一の構造を有している。
【００３３】
図３に示すように、上方連結構造は、垂直アーム構造７のプレート部材３１と、胸部支持部５の胸部アーム２５とを連結することで構成されている。より具体的には、垂直アーム構造７の２つのプレート部材３１，３３の内、上方のプレート部材３１の上端近傍には、円形の上方ボルト取付孔５１が設けられており、上方ボルト取付孔５１の周囲には上方ボルト取付孔５１と同心をなすように複数の保持用取付孔５３が配置されている。
【００３４】
また、胸部アーム２５は、上方ボルト取付孔５１と同径の胸部ボルト取付孔５５が設けられており、さらに胸部ボルト取付孔５５の周囲には、胸部ボルト取付孔５５と同心をなすように複数の保持用取付孔５７が配置されている。
【００３５】
組み立て時には、胸部アーム２５の胸部ボルト取付孔５５と、プレート部材３１の上方ボルト取付孔５１とが重複するように両部材を重ね合わせ、胸部ボルト取付孔５５及び上方ボルト取付孔５１にボルトを挿入する。これにより両部材は回動可能に支持される。そして、保持用取付孔５３，５７は、胸部アーム２５とプレート部材３１をボルトを中心に互いに回動させたときに、少なくとも２つの保持用取付孔５３と、少なくとも２つの保持用取付孔５７とが等角度間隔毎、例えば１０度毎に重複する。そして重複した２つの保持用取付孔５３，５７にさらなるボルトを取り付けることにより、両部材の角度を固定することができる。このような構成により、胸部支持部３と垂直アーム構造７との間の角度を着用者の体型に合わせて前傾又は後傾させることができる。なお、胸部アーム２５の保持用取付孔５７と、プレート部材３１の保持用取付孔５３とが重複する回転角度は適宜設定することができる。
【００３６】
図４は垂直アーム構造の側面図であり、図５は同構造の正面図である。図４及び図５に示すように、プレート部材３１，３３は、垂直方向に延びるスロット６１，６３を備えている。また、高さ調整用プレート部材３５は、垂直方向に並んだ複数の高さ調整用取付孔６５を備えている。組み立て時には、プレート部材３１，３３は、高さ調整用プレート部材３５の両側の主面側にそれぞれ固定される。そして図示せぬボルトを、スロット６１，６３、及び高さ調整用取付孔６５に挿入することにより、プレート部材３１，３３同士の相対的な垂直方向位置を自由に調整し、固定することができる。
【００３７】
また、高さ調整用プレート部材３５における高さ調整用取付孔６５に対して水平方向にオフセットされた位置には、ベルト固定金具４１を高さ調整用プレート部材３５に取り付けるための固定金具用孔６７が設けられている。高さ調整用取付孔６５に対して固定金具用孔６７をオフセットすることにより、ベルト固定金具４１が、プレート部材３１，３３と干渉するのを防止することができる。
【００３８】
図６は、胸部支持部５の胸部固定プレート２３を示す正面図である。図６に示すように胸部固定プレート２３は、一列に並んでおり水平方向に延びる２つの幅調整用取付スロット７１を備える。また胸部固定プレート２３は、幅調整用取付スロット７１から垂直方向上方にオフセットされた位置に、胸部ヒンジ２７を固定するための固定孔７３を備える。また、胸部アーム２５の着用者の体の中心側の端部には、複数の胸部プレート取付孔７５が設けられている。そして組み立て時には、胸部アーム２５同士の水平方向の間隔を調整し、図示せぬボルトを幅調整用取付スロット７１及び胸部プレート取付孔７５に挿入することにより胸部固定プレート２３と胸部アーム２５とを固定することができる。
【００３９】
詳細な説明は省略するが、下腹部支持部３も同様の構成を有しており、下腹部においても同様の構成により下腹部アーム１５同士の水平方向の間隔を調整し、下腹部アーム１５を下腹部プレート１３に固定できるようになっている。
【００４０】
図７は、ベルト９の構造を説明するための図である。図７に示すように、ベルト９は、略Ｙ字形状を有しており、分岐していない端が一方の側において垂直アーム構造７の高さ調整用プレート部材３５に固定されている。また、Ｙ字形状のベルト９の分岐している端のうちの一方は、反対側にある胸部アーム２５に着脱自在に取り付けられ、他方は反対側にある下腹部アーム１５に着脱自在に取り付けられるようになっている。
【００４１】
以上のように、コルセット１によれば、着用者の体型に応じてコルセット１の装着形態を容易に調整することができ、これにより共通のコルセットを様々な体型の着用者に合わせて調整することができる。より具体的には、垂直アーム構造７においてコルセット１の高さ方向を自在に調整して固定できるようにし、下腹部支持部３及び胸部支持部５においてコルセット１の幅を自在に調整して固定できるようにし、さらに上方連結構造及び下方連結構造において下腹部支持部３及び胸部支持部５の角度を自在に調整して固定できるようにした。これにより、一つのコルセット１を着用者の様々な体型に合わせて調整することができる。
【００４２】
また、等角度間隔毎に保持用取付孔５３と保持用取付孔５７同士が重複するようにすることで、上方連結構造及び下方連結構造において下腹部支持部３及び胸部支持部５の角度を自在に調整して固定できるようにしながら、胸部アーム２５とプレート部材３１の端部の構造を簡略化することができる。即ち、少ない数の保持用取付孔を用いることにより、胸部アーム２５とプレート部材３１の端部に形成する保持用取付孔の数を減らすことができ、これにより胸部アーム２５とプレート部材３１を小型化しつつ強度が低下するのを防止することができる。
【００４３】
また、ベルト９を実質的にＹ字とし、その第１端を高さ調整用プレート部材３５に固定し、分岐した第２端を胸部アーム２５及び下腹部アーム１５に着脱自在に取り付けるようにすることにより、ベルト９の着脱する側の端を着用者の体の前面まで延ばすことができる。これにより着用者が手を背中側まで伸ばさなくてもベルト９の着脱操作を容易に行える。
【００４４】
また、胸部ヒンジ２７と、幅調整用取付スロット７１とを垂直方向にオフセットすることにより胸部ヒンジ２７と幅調整用取付スロット７１に取り付けられる胸部アーム２５とが干渉するのを防止することができる。これにより、２つの胸部アーム２５の相対的な位置関係の選択肢を増やすことができる。
【００４５】
また、下腹部アーム１５を着用時に着用者の大腿部と干渉しないように湾曲させ、胸部アーム２５を着用時に着用者の脇と干渉しないように湾曲させることにより、着用時の不快感を低減させることができる。
【符号の説明】
【００４６】
１    コルセット
３    下腹部支持部
５    胸部支持部
７    垂直アーム構造
９    ベルト
１１    下腹部接触部材
１３    下腹部プレート
１５    下腹部アーム
１７    下腹部ヒンジ
２１    胸部接触部材
２３    胸部固定プレート
２５    胸部アーム
２７    胸部ヒンジ
３１，３３    プレート部材
３５    高さ調整用プレート部材
５１    上方ボルト取付孔
５３，５７    保持用取付孔
５５    胸部ボルト取付孔
６１，６３    スロット
６５    高さ調整用取付孔
７１    幅調整用取付スロット
【図１】
2019047966.tif 000003
【図２】
2019047966.tif 000004
【図３】
2019047966.tif 000005
【図４】
2019047966.tif 000006
【図５】
2019047966.tif 000007
【図６】
2019047966.tif 000008
【図７】
2019047966.tif 000009